(57)【要約】【課題】カラー原稿を表すカラー画像データに基づいて２色分版の各色成分の分版データを取得する２色分版装置において、カラー原稿の明度、濃度と２色印刷で印刷される印刷物の明度、濃度とが同程度になるような分版データを自動的に取得する。【解決手段】カラー画像データの各画素データのＲＧＢデータに基づいてＣＭＹデータを生成し、Ｃ成分、Ｍ成分、Ｙ成分を３つの軸とする色立方体における一方の色成分を定義するための色成分定義用面を設定し、ＣＭＹデータと色成分定義用面との距離に基づいてＣＭＹデータの一方の色成分データを取得し、ＣＭＹデータの濃度を算出するとともに、一方の色成分データの濃度を算出し、ＣＭＹデータの濃度と一方の色成分データの濃度との差分データを取得し、その差分データに基づいて他方の色成分データを分版データとして取得し、上記一方の色成分データを一方の色成分の分版データとして取得する。【選択図】図１
0003122150.tif 000002
【実用新案登録請求の範囲】
【請求項１】
カラー原稿を表すカラー画像データを構成する各画素データのＣＭＹデータに基づいて２色分版の各色成分の分版データを取得する２色分版装置において、
Ｃ成分、Ｍ成分、Ｙ成分を３つの軸とする色立方体において、前記２色分版の各色成分のうち一方の色成分を定義するための色成分定義用面を設定する色成分定義用面設定部と、
前記ＣＭＹデータと前記色成分定義用面との距離に基づいて前記ＣＭＹデータの前記一方の色成分データを取得する第１の色成分データ取得部と、
前記ＣＭＹデータの濃度を算出するとともに、前記一方の色成分データの濃度を算出し、前記ＣＭＹデータの濃度と前記一方の色成分データの濃度との差分データを取得する差分データ取得部と、
該差分データ取得部により取得された差分データに基づいて、前記２色分版の各色成分のうち他方の色成分データを取得する第２の色成分データ取得部と、
前記第１の色成分データ取得部により取得された一方の色成分データを前記２色分版の各色成分のうち前記一方の色成分の分版データとして取得するとともに、前記第２の色成分データ取得部により取得された他方の色成分データを前記２色分版の各色成分のうち前記他方の色成分の分版データとして取得する分版データ取得部とを備えたことを特徴とする２色分版装置。
【請求項２】
カラー原稿を表すカラー画像データを構成する各画素データのＣＭＹデータに基づいて２色分版の各色成分の分版データを取得する２色分版装置において、
Ｃ成分、Ｍ成分、Ｙ成分を３つの軸とする色立方体において、前記２色分版の各色成分のうち一方の色成分を定義するための色成分定義用面を設定する色成分定義用面設定部と、
前記ＣＭＹデータと前記色成分定義用面との距離に基づいて前記ＣＭＹデータの前記一方の色成分データを取得する第１の色成分データ取得部と、
前記ＣＭＹデータの濃度を算出するとともに、前記一方の色成分データの濃度を算出し、前記ＣＭＹデータの濃度と前記一方の色成分データの濃度との差分データを取得する差分データ取得部と、
該差分データ取得部により取得された差分データの一部を前記２色分版の各色成分のうち他方の色成分データとして取得する第２の色成分データ取得部と、
前記第１の色成分データ取得部により取得された一方の色成分データと前記差分データの一部以外の差分データとの加算値を前記２色分版の各色成分のうち前記一方の色成分の分版データとして取得するとともに、前記他方の色成分データを前記２色分版の各色成分のうち前記他方の色成分の分版データとして取得する分版データ取得部とを備えたことを特徴とする２色分版装置。
【請求項３】
前記一方の色成分が赤成分であり、前記他方の色成分が黒成分であり、
前記色成分定義面が下式により表される場合において、ｒ＜０、ｓ＞０、ｔ＞０であることを特徴とする請求項１または２記載の２色分版装置。
ｒＣ＋ｓＭ＋ｔＹ＝０
【請求項４】
カラー原稿を表すカラー画像データを構成する各画素データのＣＭＹデータに基づいて２色分版の各色成分の分版データを取得する２色分版装置において、
Ｃ成分、Ｍ成分、Ｙ成分を３つの軸とする色立方体において、前記２色分版の各色成分のうち第１の色成分を定義するための第１の色成分定義用面と第２の色成分を定義するための第２の色成分定義面とを設定する色成分定義用面設定部と、
前記ＣＭＹデータと前記第１の色成分定義用面との距離に基づいて前記ＣＭＹデータの前記第１の色成分データを取得する第１の色成分データ取得部と、
前記ＣＭＹデータと前記第２の色成分定義用面との距離に基づいて前記ＣＭＹデータの前記第２の色成分データを取得する第２の色成分データ取得部と、
前記ＣＭＹデータの濃度を算出するとともに、前記第１および第２の色成分データの濃度を算出し、前記第１の色成分データと前記第２の色成分データとの加算値と、前記ＣＭＹデータの濃度との差分データを取得する差分データ取得部と、
該差分データ取得部により取得された差分データに基づいて、前記第１の色成分および前記第２の色成分の少なくとも一方の補足データを取得する補足データ取得部と、
該補足データ取得部により取得された補足データを前記第１の色成分データおよび前記第２の色成分データの少なくとも一方に加算して前記第１および第２の色成分の分版データを取得する分版データ取得部とを備えたことを特徴とする２色分版装置。
【請求項５】
前記第１の色成分が赤成分であり、前記第２の色成分が緑成分であり、
前記第１の色成分定義面が下式（１）により表される場合において、ｒ１＜０、ｓ１＞０、ｔ１＞０であり、
前記第２の色成分定義面が下式（２）により表される場合において、ｒ２＞０、ｓ２＜０、ｔ２＞０であることを特徴とする請求項１または２記載の２色分版装置。
ｒ１Ｃ＋ｓ１Ｍ＋ｔ１Ｙ＝０    ・・・（１）
ｒ２Ｃ＋ｓ２Ｍ＋ｔ２Ｙ＝０    ・・・（２）
【請求項６】
前記第１の色成分が赤成分であり、前記第２の色成分が青成分であり、
前記第１の色成分定義面が下式（１）により表される場合において、ｒ１＜０、ｓ１＞０、ｔ１＞０であり、
前記第２の色成分定義面が下式（２）により表される場合において、ｒ２＞０、ｓ２＞０、ｔ２＜０であることを特徴とする請求項１または２記載の２色分版装置。
ｒ１Ｃ＋ｓ１Ｍ＋ｔ１Ｙ＝０    ・・・（１）
ｒ２Ｃ＋ｓ２Ｍ＋ｔ２Ｙ＝０    ・・・（２）
【考案の詳細な説明】
【技術分野】
【０００１】
本考案は、カラー原稿を表すカラー画像データに基づいて２色分版の各色成分の分版データを取得する２色分版装置に関するものである。
【背景技術】
【０００２】
従来、カラー原稿をスキャナで読み取ったカラー画像データやパソコンで作成されたカラー画像データに基づいて２色の版を作成し、２色印刷を行うことが提案されている。
【０００３】
ここで、上記のように２色印刷を行う際には、たとえば、ＲＧＢデータからなるカラー画像データをＣＭＹＫデータに変換し、このＣＭＹＫデータのうちＣ成分のデータとＭ成分のデータとを用いて２色の版を作成することが一般的に行われている（非特許文献１参照）。
【非特許文献１】株式会社インフォメディア著、「２色印刷デザイン＆テクニック  解説編」、初版、株式会社ワークスコーポレーション、２００３年３月１日
【考案の開示】
【考案が解決しようとする課題】
【０００４】
しかしながら、上記のようにＣ成分とＭ成分のデータだけを用いて２つの版を作成して２色印刷したのでは、カラー原稿毎に印刷結果が濃くなったり、薄くなったりしてしまい、カラー原稿の濃度（明度）を再現することができない。
【０００５】
そこで、できるだけカラー原稿の濃度に近づけるため、カラー画像データを編集するソフトウェアを使って、カラー原稿毎に濃度を調整しながら印刷テストを行う方法もあるが、この方法は非常に手間がかかる作業であり、出来具合も作業担当者の腕前次第である。
【０００６】
また、上記のようＣ成分のデータとＭ成分のデータとを用いて２色の版を作成するようにしたのでは、たとえば、カラー画像データにＹ成分のデータが含まれている場合には、そのＹ成分の画像が２色印刷に現れないことになる。
【０００７】
そこで、たとえば、非特許文献１においては、カラー画像データを編集するソフトウェアを用いて、Ｃ成分とＭ成分のデータに、Ｙ成分のデータが含ませる方法が提案されており、たとえば、Ｍ成分を９０％、Ｙ成分を１０％という具合に、ユーザーが含ませるＹ成分の割合を指定する方法が提案されている。
【０００８】
しかしながら、上記のようにユーザーがＹ成分の割合を指定するようにしたのでは、カラー原稿の明度、濃度に対して、２色印刷で印刷される印刷物の明度、濃度が異なってしまう場合があり、２色印刷の印刷物の明度、濃度をカラー原稿と同程度にするためには、ユーザーがＹ成分の割合の指定と印刷とを繰り返して行う必要があり、非常に時間と手間がかかっていた。
【０００９】
本考案は、上記のようにカラー原稿を２色印刷する場合において、カラー原稿の明度、濃度と２色印刷で印刷される印刷物の明度、濃度とが同程度になるような分版データを自動的に取得することができ、手間とコストをかけることなく適切な分版データを取得することができる２色分版装置を提供することを目的とするものである。
【課題を解決するための手段】
【００１０】
本考案の第１の２色分版装置は、カラー原稿を表すカラー画像データを構成する各画素データのＣＭＹデータに基づいて２色分版の各色成分の分版データを取得する２色分版装置において、Ｃ成分、Ｍ成分、Ｙ成分を３つの軸とする色立方体において、前記２色分版の各色成分のうち一方の色成分を定義するための色成分定義用面を設定する色成分定義用面設定部と、ＣＭＹデータと色成分定義用面との距離に基づいてＣＭＹデータの一方の色成分データを取得する第１の色成分データ取得部と、ＣＭＹデータの濃度を算出するとともに、一方の色成分データの濃度を算出し、ＣＭＹデータの濃度と一方の色成分データの濃度との差分データを取得する差分データ取得部と、差分データ取得部により取得された差分データに基づいて、２色分版の各色成分のうち他方の色成分データを取得する第２の色成分データ取得部と、第１の色成分データ取得部により取得された一方の色成分データを２色分版の各色成分のうち一方の色成分の分版データとして取得するとともに、第２の色成分データ取得部により取得された他方の色成分データを２色分版の各色成分のうち他方の色成分の分版データとして取得する分版データ取得部とを備えたことを特徴とする。
【００１１】
本考案の第２の２色分版装置は、カラー原稿を表すカラー画像データを構成する各画素データのＣＭＹデータに基づいて２色分版の各色成分の分版データを取得する２色分版装置において、Ｃ成分、Ｍ成分、Ｙ成分を３つの軸とする色立方体において、前記２色分版の各色成分のうち一方の色成分を定義するための色成分定義用面を設定する色成分定義用面設定部と、ＣＭＹデータと色成分定義用面との距離に基づいてＣＭＹデータの一方の色成分データを取得する第１の色成分データ取得部と、ＣＭＹデータの濃度を算出するとともに、一方の色成分データの濃度を算出し、ＣＭＹデータの濃度と一方の色成分データの濃度との差分データを取得する差分データ取得部と、差分データ取得部により取得された差分データの一部を２色分版の各色成分のうち他方の色成分データとして取得する第２の色成分データ取得部と、第１の色成分データ取得部により取得された一方の色成分データと差分データの一部以外の差分データとの加算値を２色分版の各色成分のうち一方の色成分の分版データとして取得するとともに、他方の色成分データを２色分版の各色成分のうち他方の色成分の分版データとして取得する分版データ取得部とを備えたことを特徴とする。
【００１２】
また、上記本考案の第１および第２の２色分版装置においては、一方の色成分を赤成分とし、他方の成分を黒成分とし、色成分定義面が下式により表される場合において、ｒ＜０、ｓ＞０、ｔ＞０とすることができる。
【００１３】
ｒＣ＋ｓＭ＋ｔＹ＝０
本考案の第３の２色分版装置は、カラー原稿を表すカラー画像データを構成する各画素データのＣＭＹデータに基づいて２色分版の各色成分の分版データを取得する２色分版装置において、Ｃ成分、Ｍ成分、Ｙ成分を３つの軸とする色立方体において、前記２色分版の各色成分のうち第１の色成分を定義するための第１の色成分定義用面と第２の色成分を定義するための第２の色成分定義面とを設定する色成分定義用面設定部と、ＣＭＹデータと第１の色成分定義用面との距離に基づいてＣＭＹデータの第１の色成分データを取得する第１の色成分データ取得部と、ＣＭＹデータと第２の色成分定義用面との距離に基づいてＣＭＹデータの第２の色成分データを取得する第２の色成分データ取得部と、ＣＭＹデータの濃度を算出するとともに、第１および第２の色成分データの濃度を算出し、第１の色成分データと第２の色成分データとの加算値と、ＣＭＹデータの濃度との差分データを取得する差分データ取得部と、差分データ取得部により取得された差分データに基づいて、第１の色成分および第２の色成分の少なくとも一方の補足データを取得する補足データ取得部と、補足データ取得部により取得された補足データを第１の色成分データおよび第２の色成分データの少なくとも一方に加算して第１および第２の色成分の分版データを取得する分版データ取得部とを備えたことを特徴とする。
【００１４】
また、上記本発明の第３の２色分版装置においては、第１の色成分を赤成分とし、第２の色成分を緑成分とし、第１の色成分定義面が下式（１）により表される場合において、ｒ１＜０、ｓ１＞０、ｔ１＞０とし、第２の色成分定義面が下式（２）により表される場合において、ｒ２＞０、ｓ２＜０、ｔ２＞０とすることができる。
【００１５】
ｒ１Ｃ＋ｓ１Ｍ＋ｔ１Ｙ＝０    ・・・（１）
ｒ２Ｃ＋ｓ２Ｍ＋ｔ２Ｙ＝０    ・・・（２）
また、第１の色成分を赤成分とし、第２の色成分を青成分とし、第１の色成分定義面が下式（１）により表される場合において、ｒ１＜０、ｓ１＞０、ｔ１＞０とし、第２の色成分定義面が下式（２）により表される場合において、ｒ２＞０、ｓ２＞０、ｔ２＜０とすることができる。
【００１６】
ｒ１Ｃ＋ｓ１Ｍ＋ｔ１Ｙ＝０    ・・・（１）
ｒ２Ｃ＋ｓ２Ｍ＋ｔ２Ｙ＝０    ・・・（２）
ここで、上記「濃度」は、明度と一義的な関係であるため、ここでいう「濃度」は明度としてもよい。
【００１７】
また、上記「ＣＭＹデータ」は、ＲＧＢデータと一義的な関係であるため、ここでいう「ＣＭＹデータ」はＲＧＢデータとしてもよい。
【考案の効果】
【００１８】
本考案の第１の２色分版装置によれば、カラー原稿を表すカラー画像データを構成する各画素データのＲＧＢデータに基づいてＣＭＹデータを生成し、Ｃ成分、Ｍ成分、Ｙ成分を３つの軸とする色立方体における一方の色成分を定義するための色成分定義用面を設定し、ＣＭＹデータと色成分定義用面との距離に基づいてＣＭＹデータの一方の色成分データを取得し、ＣＭＹデータの濃度を算出するとともに、一方の色成分データの濃度を算出し、ＣＭＹデータの濃度と一方の色成分データの濃度との差分データを取得し、その取得された差分データに基づいて、他方の色成分データを取得し、上記一方の色成分データを一方の色成分の分版データとして取得するとともに、上記他方の色成分データを他方の色成分の分版データとして取得するようにしたので、一方の色成分の分版データと他方の色成分の分版データとにカラー原稿の濃度を分配することができ、カラー原稿の明度、濃度と２色印刷で印刷される印刷物の明度、濃度とが同程度になるような分版データを自動的に取得することができ、手間とコストをかけることなく適切な分版データを取得することができる。
【００１９】
また、従来の２色印刷のように一部の画像が２色印刷から欠落してしまうのを防止することができる。
【００２０】
本考案の第２の２色分版装置によれば、カラー原稿を表すカラー画像データを構成する各画素データのＲＧＢデータに基づいてＣＭＹデータを生成し、Ｃ成分、Ｍ成分、Ｙ成分を３つの軸とする色立方体における一方の色成分を定義するための色成分定義用面を設定し、ＣＭＹデータと色成分定義用面との距離に基づいてＣＭＹデータの一方の色成分データを取得し、ＣＭＹデータの濃度を算出するとともに、一方の色成分データの濃度を算出し、ＣＭＹデータの濃度と一方の色成分データの濃度との差分データを取得し、その取得された差分データの一部を他方の色成分データとして取得し、上記一方の色成分データと差分データの一部以外の差分データとの加算値を一方の色成分の分版データとして取得するとともに、他方の色成分データを他方の色成分の分版データとして取得するようにしたので、上記第１の２色分版装置と同様の効果を得ることができる。
【００２１】
本考案の第３の２色分版装置によれば、カラー原稿を表すカラー画像データを構成する各画素データのＲＧＢデータに基づいてＣＭＹデータを生成し、Ｃ成分、Ｍ成分、Ｙ成分を３つの軸とする色立方体における第１の色成分を定義するための第１の色成分定義用面と第２の色成分を定義するための第２の色成分定義面とを設定し、ＣＭＹデータと第１の色成分定義用面との距離に基づいてＣＭＹデータの第１の色成分データを取得し、ＣＭＹデータと第２の色成分定義用面との距離に基づいてＣＭＹデータの第２の色成分データを取得し、ＣＭＹデータの濃度を算出するとともに、第１および第２の色成分データの濃度を算出し、第１の色成分データと第２の色成分データとの加算値と、ＣＭＹデータの濃度との差分データを取得し、その取得された差分データに基づいて、第１の色成分および第２の色成分の少なくとも一方の補足データを取得し、その取得された補足データを第１の色成分データおよび第２の色成分データの少なくとも一方に加算して第１および第２の色成分の分版データを取得するようにしたので、第１の色成分の分版データと第２の色成分の分版データとにカラー原稿の濃度を分配することができ、カラー原稿の明度、濃度と２色印刷で印刷される印刷物の明度、濃度とが同程度になるような分版データを自動的に取得することができ、手間とコストをかけることなく適切な分版データを取得することができる。
【考案を実施するための最良の形態】
【００２２】
以下、図面を参照して本考案の２色分版装置の第１の実施形態について詳細に説明する。図１は、第１の実施形態の２色分版装置の概略構成を示すブロック図である。第１の実施形態の２色分版装置は、赤と黒の２色印刷を行う際に用いられる各色成分の分版データを取得するものである。
【００２３】
第１の実施形態の２色分版装置は、図１に示すように、ＣＭＹデータ生成部１０と、赤成分定義用面設定部１２と、赤成分判定部１４と、赤成分データ取得部１６と、赤成分データ濃度取得部１８と、ＣＭＹデータ濃度取得部２０と、差分データ取得部２２と、黒成分データ取得部２４と、分版データ取得部２６とを備えている。
【００２４】
ＣＭＹデータ生成部１０は、スキャナやパソコンなどから出力されたカラー画像データを構成する各画素データのＲＧＢデータを、下式（３）に基づいてＣＭＹデータに変換するものである。
【００２５】
Ｃ＝１−Ｒ，Ｍ＝１−Ｇ，Ｙ＝１−Ｂ    ・・・（３）
赤成分定義用面設定部１２は、図２に示すような、Ｃ成分、Ｍ成分、Ｙ成分を３つの軸とする色立方体における赤成分を定義するための赤成分定義用面が設定されたものである。赤成分定義用面は、ＣＭＹデータが赤成分を含んでいるか否かを判定するために用いられるものである。
【００２６】
ここで、赤成分定義用面は下式（４）で表すことができる。
【００２７】
ｒＣ＋ｓＭ＋ｔＹ＝０    ・・・（４）
ｒ、ｓ、ｔは係数
そして、上式の係数ｒ、ｓ、ｔは、たとえば、以下の条件を満たすように設定するようにすればよい。
【００２８】
１）グレースケールが赤成分定義用面上にある。
【００２９】
２）赤（Ｒ＝１、Ｇ＝０、Ｂ＝０）から赤成分定義用面までの距離が最大である。
【００３０】
３）濃度を算出する下式（５）のＣ、Ｍ、Ｙの係数の比率に準じるようにする。
【００３１】
濃度  ＝  ０．２９９×Ｃ ＋ ０．５８７×Ｍ ＋ ０．１１４×Ｙ    ・・・（５）
まず、１）の条件から、ｒ＋ｓ＋ｔ＝０である。
【００３２】
次に、色立方体内の所定の点から赤成分定義用面までの距離ｄは、下式（６）で表される。
【００３３】
ｄ＝｜ｒＣ＋ｓＭ＋ｔＹ｜／√（ｒ２＋ｓ２＋ｔ２）    ・・・（６）
そして、赤（Ｒ＝１、Ｇ＝０、Ｂ＝０）は（Ｃ，Ｍ，Ｙ）＝（０，１，１）で表されるので、赤から赤成分定義用面までの距離が最大となるには、（Ｃ，Ｍ，Ｙ）＝（０，１，１）のときに｜ｒＣ＋ｓＭ＋ｔＹ｜が最大になるようにすればよい。すなわち、ｓとｔとが同符号の値をもつように設定するようにすればよい。
【００３４】
ここで、たとえば、ｓ＜ｔと設定すると、距離ｄを求めた際に、Ｙ成分が大きい場合に、距離ｄが大きくなり、Ｍ成分が大きい場合に、距離ｄが小さくなる場合が存在してしまう。Ｍ成分が大きくなると、赤成分が大きくなるように定義したいので、ｔ＜ｓにして、Ｍ成分が大きい場合に、距離ｄが大きくなるようにする。
【００３５】
そして、さらに、３）の条件を満たすように、たとえば、ｒ＝−７、ｓ＝６、ｔ＝１と設定するようにすればよい。
【００３６】
赤成分判定部１４は、赤成分定義用面を用いて、入力されたＣＭＹデータが赤成分を有するか否かを判定するものである。
【００３７】
赤成分データ取得部１６は、赤成分判定部１４でＣＭＹデータが赤成分を有すると判定された場合に、そのＣＭＹデータと赤成分定義面との距離に基づいて赤成分データを取得するものである。
【００３８】
赤成分データ濃度取得部１８は、赤成分データ取得部１６において取得された赤成分データの濃度を取得するものである。
【００３９】
ＣＭＹデータ濃度取得部２０は、ＣＭＹデータ生成部１０で変換されたＣＭＹデータの濃度を算出するものである。
【００４０】
差分データ取得部２２は、ＣＭＹデータ濃度取得部２０において取得されたＣＭＹデータ濃度と赤成分データ濃度取得１８において取得された赤成分データの濃度との差分を取得するものである。
【００４１】
黒成分データ取得部２４は、差分データ取得部２２において取得された差分データを黒成分データとして取得するものである。
【００４２】
分版データ取得部２６は、赤成分データ取得部１６において取得された赤成分データを赤成分の分版データとして取得し、黒成分データ取得部２４において取得された黒成分データを黒成分の分版データとして取得するものである。
【００４３】
次に、第１の実施形態の２色分版装置の作用について説明する。
【００４４】
まず、ＣＭＹデータ生成部１０は、スキャナやパソコンなどから出力されたカラー画像データを構成する各画素データのＲＧＢデータがＣＭＹデータ生成部１０に入力され、ＣＭＹデータ生成部１０において、上式（３）に基づいてＣＭＹデータに変換される。
【００４５】
そして、ＣＭＹデータ生成部１０において変換されたＣＭＹデータは、赤成分判定部１２に入力され、赤成分判定部１２は、赤成分定義用面設定部１４に設定されている赤成分定義用面を用いて、ＣＭＹデータが赤成分を有するか否かを判定する。すなわち、赤成分判定部１２は、ＣＭＹデータが、図２に示す赤成分定義用面の左上半分（赤成分が存在する部分）に存在するか、赤成分定義用面の右下半分（赤成分が存在しない部分）に存在するかを判定する。
【００４６】
具体的には、平面の式（４）は赤成分が存在しないと定義した領域であり、それから左上部分は赤成分が存在し、右下部分は赤成分が存在しないといえるので、ｒＣ＋ｓＭ＋ｔＹにＣＭＹデータを入力し、ｒＣ＋ｓＭ＋ｔＹ＞０の場合には、ＣＭＹデータは、図２に示す赤成分定義用面の左上半分に存在するものとして判定し、赤成分を有するものとして判定する。一方、ｒＣ＋ｓＭ＋ｔＹ≦０の場合には、ＣＭＹデータは、図２に示す赤成分定義用面上または赤成分定義用面の右下半分に存在するものとして判定し、赤成分を有しないものとして判定する。
【００４７】
そして、赤成分判定部１４において判定された判定結果が赤成分データ取得部１６に出力され、赤成分データ取得部１６は、入力された判定結果に基づいて赤成分データを取得する。具体的には、入力された判定結果が、赤成分を有しないという判定結果であった場合には、ＣＭＹデータの赤成分データＤＲ（Ｃ，Ｍ，Ｙ）を０とする。入力された判定結果が、赤成分を有するという判定結果であった場合には、ＣＭＹデータと赤成分定義用面との距離ｄ（Ｃ，Ｍ，Ｙ）を算出する。そして、下式（７）に示すように正規化して赤成分データＤＲ（Ｃ，Ｍ，Ｙ）を算出する。
【００４８】
ＤＲ（Ｃ，Ｍ，Ｙ）＝ｄ（Ｃ，Ｍ，Ｙ）／ｄ（０，１，１）    ・・・（７）
なお、ｄ（０，１，１）は赤（Ｒ＝１，Ｇ＝０，Ｂ＝０（つまりＣ＝０，Ｍ＝１，Ｙ＝１））から赤成分定義用面までの距離であり、最大の距離である。
【００４９】
また、ｄ（Ｃ，Ｍ，Ｙ）は、上式（６）にしたがって算出される。このように定義することでＤＲ（Ｃ，Ｍ，Ｙ）は０〜１の間の値をとり得る赤成分の量となる。
【００５０】
そして、上記のようにして赤成分データ取得部１６において取得されたＤＲ（Ｃ，Ｍ，Ｙ）は、赤成分データ濃度取得部１８に入力され、赤成分データ濃度取得部１８において、その濃度が算出される。具体的には、たとえば、ＤＲ（Ｃ，Ｍ，Ｙ）＝０．７である場合には、赤成分はＭ成分とＹ成分の加算なので、Ｃ＝０、Ｍ＝０．７、Ｙ＝０．７が下式（８）に入力されて赤成分データの濃度Ｄｓｔｙ（ＤＲ（Ｃ，Ｍ，Ｙ））が算出される。
【００５１】
濃度  ＝  ０．２９９×Ｃ ＋ ０．５８７×Ｍ ＋ ０．１１４×Ｙ  ・・・（８）
ＤＲ（Ｃ，Ｍ，Ｙ）＝０のときは、赤成分データの濃度Ｄｓｔｙ（ＤＲ（Ｃ，Ｍ，Ｙ））も０である。
【００５２】
一方、ＣＭＹデータ生成部１０で変換されたＣＭＹデータは、ＣＭＹデータ濃度取得部２０に入力され、ＣＭＹデータ濃度取得部２０において、ＣＭＹデータの濃度が算出される。具体的には、ＣＭＹデータが下式（９）に入力されてＣＭＹデータの濃度Ｄｓｔｙ（Ｃ，Ｍ，Ｙ）が算出される。
【００５３】
濃度  ＝  ０．２９９×Ｃ ＋ ０．５８７×Ｍ ＋ ０．１１４×Ｙ  ・・・（９）
そして、赤成分データ濃度取得部１８において取得された赤成分データの濃度Ｄｓｔｙ（ＤＲ（Ｃ，Ｍ，Ｙ））と、ＣＭＹデータ濃度取得部２０において取得されたＣＭＹデータの濃度Ｄｓｔｙ（Ｃ，Ｍ，Ｙ）が差分データ取得部２２に入力され、差分データ取得部２２において、下式（１０）にしたがって差分データΔＤｓｔｙ（Ｃ，Ｍ，Ｙ）が取得される。
【００５４】
ΔＤｓｔｙ（Ｃ，Ｍ，Ｙ）＝Ｄｓｔｙ（Ｃ，Ｍ，Ｙ）
−Ｄｓｔｙ（ＤＲ（Ｃ，Ｍ，Ｙ））    ・・・（１０）
そして、差分データ取得部２２において取得された差分データΔＤｓｔｙ（Ｃ，Ｍ，Ｙ）は黒成分データ取得部２４に入力され、黒成分データ取得部２４は、下式（１１）にしたがって、黒成分データＤＢｌｋ（Ｃ，Ｍ，Ｙ）を取得する。
【００５５】
Ｄｓｔｙ（ＤＢｌｋ（Ｃ，Ｍ，Ｙ））＝ΔＤｓｔｙ（Ｃ，Ｍ，Ｙ）    ・・・（１１）
なお、ΔＤｓｔｙ（Ｃ，Ｍ，Ｙ）＝ＤＢｌｋ（Ｃ，Ｍ，Ｙ）となる。理由は以下のとおりである。
【００５６】
黒を含むグレースケールはＣ、Ｍ、Ｙの値が同じであり、Ｃ、Ｍ、Ｙの３色で記述すると（ｋ，ｋ，ｋ）となる。色（ｋ，ｋ，ｋ）の濃度Ｄｓｔｙ（ｋ，ｋ，ｋ）は以下の式により求められる。
【００５７】
Ｄｓｔｙ（ｋ，ｋ，ｋ）＝０．２９９ｋ＋０．５８７ｋ＋０．１１４ｋ＝ｋ
つまりＤｓｔｙ（ｋ，ｋ，ｋ）＝ｋとなる。
【００５８】
そして、差分データΔＤｓｔｙ（Ｃ，Ｍ，Ｙ）で表される濃度差分を黒成分とするので、
Ｄｓｔｙ（ｋ，ｋ，ｋ）＝ΔＤｓｔｙ（Ｃ，Ｍ，Ｙ）になる。
【００５９】
したがって、ｋ＝ΔＤｓｔｙ（Ｃ，Ｍ，Ｙ）
よって、
黒成分データＤＢｌｋ（Ｃ，Ｍ，Ｙ）＝Ｄｓｔｙ（ｋ，ｋ，ｋ）＝ｋ＝ΔＤｓｔｙ（Ｃ，Ｍ，Ｙ）となる。
【００６０】
そして、赤成分データ取得部１６において取得されたＤＲ（Ｃ，Ｍ，Ｙ）および黒成分データ取得部２４において取得されたＤＢｌｋ（Ｃ，Ｍ，Ｙ）が分版データ取得部２６に入力され、分版データ取得部２６はそれぞれ赤成分の分版データおよび黒成分の分版データとして取得する。
【００６１】
上記第１の実施形態の２色分版装置によれば、ＣＭＹデータの濃度と赤成分データの濃度との差分データを取得し、その差分データに基づいて黒成分データを取得するようにしたので、赤成分の分版データと黒成分の分版データとにカラー原稿の濃度を分配することができ、カラー原稿の明度、濃度と２色印刷で印刷される印刷物の明度、濃度とが同程度になるような分版データを自動的に取得することができる。
【００６２】
なお、上記第１の実施形態においては、赤成分定義用面がグレースケールを含むようにしたが（すなわちｒ＋ｓ＋ｔ＝０）、必ずしも赤成分定義用面がグレースケールを含むようにしなくてもよい。たとえば、図２に示す赤成分定義用面を平行移動するようにしてもよい。すなわち、赤成分定義用面を以下の式で設定するようにしてもよい。
【００６３】
ｒＣ＋ｓＭ＋ｔＹ＝ｎ、ｎは定数
たとえば、赤成分定義用面を右下に平行移動した場合には、白から黒までのグレースケールは含まれなくなって、逆にグレーススケールは赤成分定義用面の左上に位置することになるので、グレースケールも赤成分データを有することになる。上記のように赤色成分定義用面を設定した場合には、印刷結果としては、グレースケールも黒１色ではなく、２色で印刷されることになる。
【００６４】
また、上記ｎの値を予め複数設定しておき、ユーザーが好みに合わせてｎの値を選択できるようにしてもおいてもよい。
【００６５】
次に、本発明の２色分版装置の第２の実施形態について説明する。図３は、第２の実施形態の２色分版装置の概略構成を示すブロック図である。
【００６６】
第２の実施形態の２色分版装置は、第１の実施形態の２色分版装置とほぼ同様であるが、差分データ取得部２２により取得された差分データの分配の仕方が異なる。第１の実施形態の２色分版装置においては、差分データＤｓｔｙ（Ｃ，Ｍ，Ｙ）を黒成分の分版データだけに分配するようにしたが、第２の実施形態の２色分版装置は、差分データＤｓｔｙ（Ｃ，Ｍ，Ｙ）を赤成分の分版データおよび黒成分の分版データの両方に分配する。
【００６７】
具体的には、差分データ取得部２２により取得された差分データＤｓｔｙ（Ｃ，Ｍ，Ｙ）は黒成分データ取得部２８と、分版データ取得部３０とに出力される。そして、黒成分データ取得部２８においては、下式（１２）にしたがって、黒成分データＤＢｌｋ（Ｃ，Ｍ，Ｙ）を取得する。
【００６８】
Ｄｓｔｙ（ＤＢｌｋ（Ｃ，Ｍ，Ｙ））＝ΔＤｓｔｙ（Ｃ，Ｍ，Ｙ）×α    ・・（１２）
なお、αは予め設定された値であり０≦α≦１である。また、ＤＢｌｌｋ（Ｃ，Ｍ，Ｙ）の算出方法については、上記と同様である。
【００６９】
一方、分版データ取得部３０においては、下式（１３）にしたがって補足データΔＤＲ（Ｃ，Ｍ，Ｙ）が算出され、その補足データΔＤＲ（Ｃ，Ｍ，Ｙ）と赤成分データ取得部１６において取得された赤成分データＤＲ（Ｃ，Ｍ，Ｙ）とが加算されて赤成分の分版データが取得される。
【００７０】
ΔＤＲ（Ｃ，Ｍ，Ｙ）＝ΔＤｓｔｙ（Ｃ，Ｍ，Ｙ）
×（１−α）／（０．５８７＋０．１１４）    ・・・（１３）
なお、上式（１３）は、以下のようにして求めた式である。
【００７１】
補足データΔＤＲ（Ｃ，Ｍ，Ｙ）は、ＣＭＹで表現すると（０，ΔＤＲ，ΔＤＲ）になる。そして、以下の濃度の計算式より、その濃度はΔＤＲ×（０．５８７＋０．１１４）である。
【００７２】
濃度  ＝  ０．２９９×Ｃ ＋ ０．５８７×Ｍ ＋ ０．１１４×Ｙ  
赤成分で補正する濃度はΔＤｓｔｙ（Ｃ，Ｍ，Ｙ）×（１−α）なので、
ΔＤＲ（Ｃ，Ｍ，Ｙ）×（０．５８７＋０．１１４）
＝ΔＤｓｔｙ（Ｃ，Ｍ，Ｙ）×（１−α）となる。
【００７３】
よって、ΔＤＲ（Ｃ，Ｍ，Ｙ）＝ΔＤｓｔｙ（Ｃ，Ｍ，Ｙ）
×（１−α）／（０．５８７＋０．１１４）となる。
【００７４】
また、黒成分データ取得部２８において取得されたＤＢｌｋ（Ｃ，Ｍ，Ｙ）が分版データ取得部３０に入力され、分版データ取得部３０は黒成分の分版データとして取得する。
【００７５】
上記第２の実施形態の２色分版装置によれば、ＣＭＹデータの濃度と赤成分データの濃度との差分データを取得し、その差分データを赤成分データと黒成分データとに分配するようにしたので、赤成分の分版データと黒成分の分版データとにカラー原稿の濃度を分配することができ、カラー原稿の明度、濃度と２色印刷で印刷される印刷物の明度、濃度とが同程度になるような分版データを自動的に取得することができる。
【００７６】
なお、上記第２の実施形態の２色分版装置においては、原稿が写真画像か文字画像かによって、αの値を変えるようにしてもよい。
【００７７】
そして、αの値の調整することにより赤成分を好みの具合に調整した印刷結果を得ることができる。
【００７８】
次に、本考案の２色分版装置の第３の実施形態について詳細に説明する。図４は、第３の実施形態の２色分版装置の概略構成を示すブロック図である。第３の実施形態の２色分版装置は、赤と緑の２色印刷を行う際に用いられる各色成分の分版データを取得するものである。
【００７９】
第３の実施形態の２色分版装置は、第１の実施形態の２色分版装置と一部同様の構成であり、図４に示すように、さらに、緑成分定義用面設定部３２と、緑成分判定部３４と、緑成分データ取得部３６と、緑成分データ濃度取得部３８とを備えている。
【００８０】
緑成分定義用面設定部３２は、図５に示すような、Ｃ成分、Ｍ成分、Ｙ成分を３つの軸とする色立方体における緑成分を定義するための緑成分定義用面が設定されたものである。緑成分定義用面は、ＣＭＹデータが緑成分を含んでいるか否かを判定するために用いられるものである。なお、図５においては、赤成分定義用面と緑成分定義用面を同一図面上に示しているが、それぞれ赤成分定義用面設定部１２と緑成分定義用面設定部３２とに設定されている。
【００８１】
ここで、赤成分定義用面および緑成分定義用面は下式（１４）、（１５）で表すことができる。
【００８２】
赤成分定義用面
ｒ１Ｃ＋ｓ１Ｍ＋ｔ１Ｃ＝０    ・・・（１４）
ｒ１、ｓ１、ｔ１は係数
なお、赤成分定義用面のｒ１、ｓ１、ｔ１の係数の決定の方法については第１の実施の形態と同様であり、たとえば、ｒ１＝−７、ｓ１＝６、ｔ１＝１とすればよい。
【００８３】
緑成分定義用面
ｒ２Ｃ＋ｓ２Ｍ＋ｔ２Ｙ＝０    ・・・（１５）
ｒ２、ｓ２、ｔ２は係数
そして、上式の係数ｒ２、ｓ２、ｔ２は、たとえば、以下の条件を満たすように設定するようにすればよい。
【００８４】
１）グレースケールが緑成分定義用面上にある。
【００８５】
２）緑（Ｒ＝０、Ｇ＝１、Ｂ＝０）から緑成分定義用面までの距離が最大である。
【００８６】
３）濃度を算出する下式（１６）のＣ、Ｍ、Ｙの係数の比率に準じるようにする。
【００８７】
濃度  ＝  ０．２９９×Ｃ ＋ ０．５８７×Ｍ ＋ ０．１１４×Ｙ  ・・・（１６）
まず、１）の条件から、ｒ２＋ｓ２＋ｔ２＝０である。
【００８８】
次に、色立方体内の所定の点から緑成分定義用面までの距離ｄは、下式（１７）で表される。
【００８９】
ｄ＝｜ｒ２Ｃ＋ｓ２Ｍ＋ｔ２Ｙ｜／√（ｒ２２＋ｓ２２＋ｔ２２）    ・・・（１７）
そして、緑は（Ｃ，Ｍ，Ｙ）＝（１，０，１）で表されるので、緑から緑成分定義用面までの距離が最大となるには、（Ｃ，Ｍ，Ｙ）＝（１，０，１）のときに｜ｒ２Ｃ＋ｓ２Ｍ＋ｔ２Ｙ｜が最大になるようにすればよい。すなわち、ｒ２とｔ２とが同符号の値をもつように設定するようにすればよい。
【００９０】
ここで、たとえば、ｒ２＜ｔ２と設定すると、距離ｄを求めた際に、Ｙ成分が大きい場合に、距離ｄが大きくなり、Ｃ成分が大きい場合に、距離ｄが小さくなる場合が存在してしまう。Ｃ成分が大きくなると、緑成分が大きくなるように定義したいので、ｔ２＜ｒ２にして、Ｃ成分が大きい場合に、距離ｄが大きくなるようにする。
【００９１】
そして、さらに、３）の条件を満たすように、たとえば、ｒ２＝３、ｓ２＝−４、ｔ２＝１と設定するようにすればよい。
【００９２】
緑成分判定部３４は、緑成分定義用面を用いて、入力されたＣＭＹデータが緑成分を有するか否かを判定するものである。
【００９３】
緑成分データ取得部３６は、緑成分判定部３４でＣＭＹデータが緑成分を有すると判定された場合に、そのＣＭＹデータと緑成分定義面との距離に基づいて緑成分データを取得するものである。
【００９４】
緑成分データ濃度取得部３８は、緑成分データ取得部３６において取得された緑成分データの濃度を取得するものである。
【００９５】
次に、第３の実施形態の２色分版装置の作用について説明する。
【００９６】
まず、ＣＭＹデータ生成部１０は、スキャナやパソコンなどから出力されたカラー画像データを構成する各画素データのＲＧＢデータがＣＭＹデータ生成部１０に入力され、ＣＭＹデータ生成部１０において、上式（３）に基づいてＣＭＹデータに変換される。
【００９７】
そして、ＣＭＹデータ生成部１０において変換されたＣＭＹデータは、赤成分判定部１２に入力され、赤成分判定部１２は、赤成分定義用面設定部１４に設定されている赤成分定義用面を用いて、ＣＭＹデータが赤成分を有するか否かを判定する。すなわち、赤成分判定部１２は、ＣＭＹデータが、図２に示す赤成分定義用面の左上半分に存在するか、赤成分定義用面の右下半分に存在するかを判定する。
【００９８】
具体的には、ｒ１Ｃ＋ｓ１Ｍ＋ｔ１ＹにＣＭＹデータを入力し、ｒ１Ｃ＋ｓ１Ｍ＋ｔ１Ｙ＞０の場合には、ＣＭＹデータは、図５に示す赤成分定義用面の左上半分に存在するものとして判定し、赤成分を有するものとして判定する。一方、ｒ１Ｃ＋ｓ１Ｍ＋ｔ１Ｙ≦０の場合には、ＣＭＹデータは、図５に示す赤成分定義用面上または赤成分定義用面の右下半分に存在するものとして判定し、赤成分を有しないものとして判定する。
【００９９】
そして、赤成分判定部１４において判定された判定結果が赤成分データ取得部１６に出力され、赤成分データ取得部１６は、入力された判定結果に基づいて赤成分データを取得する。具体的には、入力された判定結果が、赤成分を有しないという判定結果であった場合には、ＣＭＹデータの赤成分データＤＲ（Ｃ，Ｍ，Ｙ）を０とする。入力された判定結果が、赤成分を有するという判定結果であった場合には、ＣＭＹデータと赤成分定義用面との距離ｄ（Ｃ，Ｍ，Ｙ）を算出する。そして、下式（１８）に示すように正規化して赤成分データＤＲ（Ｃ，Ｍ，Ｙ）を算出する。
【０１００】
ＲＤ（Ｃ，Ｍ，Ｙ）＝ｄ（Ｃ，Ｍ，Ｙ）／ｄ（０，１，１）    ・・・（１８）
なお、ｄ（０，１，１）は赤から赤成分定義用面までの距離であり、最大の距離である。
【０１０１】
また、ｄ（Ｃ，Ｍ，Ｙ）は、上式（６）にしたがって算出される。
【０１０２】
そして、上記のようにして赤成分データ取得部１６において取得されたＤＲ（Ｃ，Ｍ，Ｙ）は、赤成分データ濃度取得部１８に入力され、赤成分データ濃度取得部１８において、その濃度が算出される。具体的には、たとえば、ＤＲ（Ｃ，Ｍ，Ｙ）＝０．７である場合には、赤成分はＭ成分とＹ成分の加算なので、Ｃ＝０、Ｍ＝０．７、Ｙ＝０．７が下式（１９）に入力されて赤成分データの濃度Ｄｓｔｙ（ＤＲ（Ｃ，Ｍ，Ｙ））が算出される。
【０１０３】
濃度  ＝  ０．２９９×Ｃ ＋ ０．５８７×Ｍ ＋ ０．１１４×Ｙ    ・・・（１９）
ＤＲ（Ｃ，Ｍ，Ｙ）＝０のときは、赤成分データの濃度Ｄｓｔｙ（ＤＲ（Ｃ，Ｍ，Ｙ））も０である。
【０１０４】
一方、ＣＭＹデータ生成部１０において変換されたＣＭＹデータは、緑成分判定部３４に入力され、緑成分判定部３４は、緑成分定義用面設定部３２に設定されている緑成分定義用面を用いて、ＣＭＹデータが緑成分を有するか否かを判定する。すなわち、緑成分判定部３２は、ＣＭＹデータが、図５に示す緑成分定義用面の左上半分に存在するか、緑成分定義用面の右下半分に存在するかを判定する。
【０１０５】
具体的には、ｒ２Ｃ＋ｓ２Ｍ＋ｔ２ＹにＣＭＹデータを入力し、ｒ２Ｃ＋ｓ２Ｍ＋ｔ
２Ｙ＞０の場合には、ＣＭＹデータは、図５に示す緑成分定義用面の右下半分に存在するものとして判定し、緑成分を有するものとして判定する。一方、ｒ２Ｃ＋ｓ２Ｍ＋ｔ２Ｙ≦０の場合には、ＣＭＹデータは、図５に示す緑成分定義用面上または緑成分定義用面の左上半分に存在するものとして判定し、緑成分を有しないものとして判定する。
【０１０６】
そして、緑成分判定部３４において判定された判定結果が緑成分データ取得部３６に出力され、緑成分データ取得部３６は、入力された判定結果に基づいて緑成分データを取得する。具体的には、入力された判定結果が、緑成分を有しないという判定結果であった場合には、ＣＭＹデータの緑成分データＤＲ（Ｃ，Ｍ，Ｙ）を０とする。入力された判定結果が、緑成分を有するという判定結果であった場合には、ＣＭＹデータと緑成分定義用面との距離ｄ（Ｃ，Ｍ，Ｙ）を算出する。そして、下式（２０）に示すように正規化して緑成分データＤＧ（Ｃ，Ｍ，Ｙ）を算出する。
【０１０７】
ＤＧ（Ｃ，Ｍ，Ｙ）＝ｄ（Ｃ，Ｍ，Ｙ）／ｄ（１，０，１）    ・・・（２０）
なお、ｄ（１，０，１）は緑から緑成分定義用面までの距離であり、最大の距離である。
【０１０８】
また、ｄ（Ｃ，Ｍ，Ｙ）は、上式（１７）にしたがって算出される。
【０１０９】
そして、上記のようにして緑成分データ取得部３６において取得されたＤＧ（Ｃ，Ｍ，Ｙ）は、緑成分データ濃度取得部３８に入力され、緑成分データ濃度取得部３８において、その濃度が算出される。具体的には、たとえば、ＤＧ（Ｃ，Ｍ，Ｙ）＝０．７である場合には、緑成分はＣ成分とＹ成分の加算なので、Ｃ＝０．７、Ｍ＝０、Ｙ＝０．７が下式（２１）に入力されて緑成分データの濃度Ｄｓｔｙ（ＤＲ（Ｃ，Ｍ，Ｙ）が算出される。
【０１１０】
濃度  ＝  ０．２９９×Ｃ ＋ ０．５８７×Ｍ ＋ ０．１１４×Ｙ    ・・・（２１）
ＤＧ（Ｃ，Ｍ，Ｙ）＝０のときは、緑成分データの濃度Ｄｓｔｙ（ＤＧ（Ｃ，Ｍ，Ｙ））も０である。
【０１１１】
一方、ＣＭＹデータ生成部１０で変換されたＣＭＹデータは、ＣＭＹデータ濃度取得部２０に入力され、ＣＭＹデータ濃度取得部２０において、ＣＭＹデータの濃度が算出される。具体的には、ＣＭＹデータが下式（２２）に入力されてＣＭＹデータの濃度Ｄｓｔｙ（Ｃ，Ｍ，Ｙ）が算出される。
【０１１２】
濃度  ＝  ０．２９９×Ｃ ＋ ０．５８７×Ｍ ＋ ０．１１４×Ｙ    ・・・（２２）
そして、赤成分データ濃度取得部１８において取得された赤成分データの濃度Ｄｓｔｙ（ＤＲ（Ｃ，Ｍ，Ｙ））と、緑成分データ濃度取得部３８において取得された緑成分データの濃度Ｄｓｔｙ（ＤＧ（Ｃ，Ｍ，Ｙ））と、ＣＭＹデータ濃度取得部２０において取得されたＣＭＹデータの濃度Ｄｓｔｙ（Ｃ，Ｍ，Ｙ）が差分データ取得部４０に入力され、差分データ取得部４０において、下式（２３）にしたがって差分データΔＤｓｔｙ（Ｃ，Ｍ，Ｙ）が取得される。
【０１１３】
ΔＤｓｔｙ（Ｃ，Ｍ，Ｙ）＝Ｄｓｔｙ（Ｃ，Ｍ，Ｙ）
−Ｄｓｔｙ（ＤＲ（Ｃ，Ｍ，Ｙ））
−Ｄｓｔｙ（ＤＧ（Ｃ，Ｍ，Ｙ））    ・・・（２３）
そして、差分データ取得部２２において取得された差分データΔＤｓｔｙ（Ｃ，Ｍ，Ｙ）は補足データ取得部４２に入力され、補足データ取得部４２において、下式（２４）にしたがって赤成分の補足データΔＤＲ（Ｃ，Ｍ，Ｙ）と緑成分の補足データΔＤＧ（Ｃ，Ｍ，Ｙ）とが算出される。
【０１１４】
ΔＤｓｔｙ（Ｃ，Ｍ，Ｙ）＝Ｄｓｔｙ（ΔＤＲ（Ｃ，Ｍ，Ｙ））
＋Ｄｓｔｙ（ΔＤＧ（Ｃ，Ｍ，Ｙ））    ・・・（２４）
具体的には、ΔＤＲ（Ｃ，Ｍ，Ｙ）とΔＤＧ（Ｃ，Ｍ，Ｙ）は濃度を求める下式（２５）の係数に準じて以下のように算出される。
【０１１５】
濃度  ＝  ０．２９９×Ｃ ＋ ０．５８７×Ｍ ＋ ０．１１４×Ｙ    ・・・（２５）
ΔＤＲ（Ｃ，Ｍ，Ｙ）＝ΔＤｓｔｙ（Ｃ，Ｍ，Ｙ）×α／（０．５８７＋０．１１４）
ΔＤＧ（Ｃ，Ｍ，Ｙ）＝ΔＤｓｔｙ（Ｃ，Ｍ，Ｙ）
×（１−α）／（０．２９９＋０．１１４）
なお、αは予め設定される値であり、０≦α≦１である。そして、αを大きくすることによって赤色が強い印刷結果を得ることができ、αを小さくすることによって緑色が強い印刷結果を得ることができる。上記のようにαを調整することによりユーザーの好みの印刷結果を得ることができる。
【０１１６】
そして、補足データ取得部４２において取得された赤成分の補足データΔＤＲ（Ｃ，Ｍ，Ｙ）と緑成分の補足データΔＤＧ（Ｃ，Ｍ，Ｙ）とが分版データ取得部４４に入力されるとともに、赤成分データ取得部１６において取得された赤成分データＤＲ（Ｃ，Ｍ，Ｙ）と緑成分データ取得部３６において取得された緑成分データＤＧ（Ｃ，Ｍ，Ｙ）とが分版データ取得部４４に入力される。
【０１１７】
そして、分版データ取得部４４において、下式（２６）、（２７）にしたがって赤成分の分版データと緑成分の分版データとが取得される。
【０１１８】
赤成分の分版データ：ＤＲ（Ｃ，Ｍ，Ｙ）＋ΔＤＲ（Ｃ，Ｍ，Ｙ）    ・・・（２６）
緑成分の分版データ：ＤＧ（Ｃ，Ｍ，Ｙ）＋ΔＤＧ（Ｃ，Ｍ，Ｙ）    ・・・（２７）
上記第３の実施形態の２色分版装置によれば、ＣＭＹデータの濃度と赤成分データおよび緑成分データの濃度との差分データを取得し、その差分データを赤成分データと緑成分データとに分配するようにしたので、赤成分の分版データと緑成分の分版データとにカラー原稿の濃度を分配することができ、カラー原稿の明度、濃度と２色印刷で印刷される印刷物の明度、濃度とが同程度になるような分版データを自動的に取得することができる。
【０１１９】
なお、上記第３の実施形態の２色分版装置においては、赤成分と緑成分の両方の補足データを算出するようにしたが、好みに応じていずれか一方の色成分の補足データのみを算出し、いずれか一方の色成分データに加算するようにしてもよい。
【０１２０】
なお、上記第３の実施形態においては、赤成分定義用面と緑成分定義用面とがグレースケールを含むようにしたが、必ずしもグレースケールを含むようにしなくてもよい。たとえば、図５に示す赤成分定義用面および／または緑成分定義用面を平行移動するようにしてもよい。すなわち、赤成分定義用面、緑成分定義用面を以下の式で設定するようにしてもよい。
【０１２１】
赤成分定義用面
ｒ１Ｃ＋ｓ１Ｍ＋ｔ１Ｙ＝ｎ１、ｎ１は定数
緑成分定義用面
ｒ２Ｃ＋ｓ２Ｍ＋ｔ２Ｙ＝ｎ２、ｎ２は定数
また、上記ｎ１、ｎ２の値を予め複数設定しておき、ユーザーが好みに合わせてｎの値を選択できるようにしてもおいてもよい。
【０１２２】
次に、本考案の２色分版装置の第４の実施形態について詳細に説明する。図６は、第４の実施形態の２色分版装置の概略構成を示すブロック図である。第４の実施形態の２色分版装置は、赤と青の２色印刷を行う際に用いられる各色成分の分版データを取得するものである。
【０１２３】
第４の実施形態の２色分版装置は、第１の実施形態の２色分版装置と一部同様の構成であり、図６に示すように、さらに、青成分定義用面設定部４６と、青成分判定部４８と、青成分データ取得部５０と、青成分データ濃度取得部５２とを備えている。
【０１２４】
青成分定義用面設定部４６は、図７に示すような、Ｃ成分、Ｍ成分、Ｙ成分を３つの軸とする色立方体における青成分を定義するための青成分定義用面が設定されたものである。青成分定義用面は、ＣＭＹデータが青成分を含んでいるか否かを判定するために用いられるものである。なお、図７においては、赤成分定義用面と青成分定義用面を同一図面上に示しているが、それぞれ赤成分定義用面設定部１２と青成分定義用面設定部４６とに設定されている。
【０１２５】
ここで、赤成分定義用面および青成分定義用面は下式（２８）、（２９）で表すことができる。
【０１２６】
赤成分定義用面
ｒ１Ｃ＋ｓ１Ｍ＋ｔ１Ｃ＝０    ・・・（２８）
ｒ１、ｓ１、ｔ１は係数
なお、赤成分定義用面のｒ１、ｓ１、ｔ１の係数の決定の方法については第１の実施の形態と同様であり、たとえば、ｒ１＝−７、ｓ１＝６、ｔ１＝１とすればよい。
【０１２７】
青成分定義用面
ｒ３Ｃ＋ｓ３Ｍ＋ｔ３Ｙ＝０    ・・・（２９）
ｒ３、ｓ３、ｔ３は係数
そして、上式の係数ｒ３、ｓ３、ｔ３は、たとえば、以下の条件を満たすように設定するようにすればよい。
【０１２８】
１）グレースケールが青成分定義用面上にある。
【０１２９】
２）青（Ｒ＝０、Ｇ＝０、Ｂ＝１）から青成分定義用面までの距離が最大である。
【０１３０】
３）濃度を算出する下式（３０）のＣ、Ｍ、Ｙの係数の比率に準じるようにする。
【０１３１】
濃度  ＝  ０．２９９×Ｃ ＋ ０．５８７×Ｍ ＋ ０．１１４×Ｙ    ・・・（３０）
まず、１）の条件から、ｒ３＋ｓ３＋ｔ３＝０である。
【０１３２】
次に、色立方体内の所定の点から青成分定義用面までの距離ｄは、下式（３１）で表される。
【０１３３】
ｄ＝｜ｒ３Ｃ＋ｓ３Ｍ＋ｔ３Ｙ｜／√（ｒ３２＋ｓ３２＋ｔ３２）    ・・・（３１）
そして、青は（Ｃ，Ｍ，Ｙ）＝（１，１，０）で表されるので、青から青成分定義用面までの距離が最大となるには、（Ｃ，Ｍ，Ｙ）＝（１，１，０）のときに｜ｒ３Ｃ＋ｓ３Ｍ＋ｔ３Ｙ｜が最大になるようにすればよい。すなわち、ｒ３とｓ３とが同符号の値をもつように設定するようにすればよい。
【０１３４】
ここで、たとえば、ｓ３＜ｒ３と設定すると、距離ｄを求めた際に、Ｃ成分が大きい場合に、距離ｄが大きくなり、Ｍ成分が大きい場合に、距離ｄが小さくなる場合が存在してしまう。Ｍ成分が大きくなると、青成分が大きくなるように定義したいので、ｒ３＜ｓ３にして、Ｍ成分が大きい場合に、距離ｄが大きくなるようにする。
【０１３５】
そして、さらに、３）の条件を満たすように、たとえば、ｒ３＝３、ｓ３＝６、ｔ３＝−９と設定するようにすればよい。
【０１３６】
なお、本実施形態においては、上記のようにしてｒ３、ｓ３、ｔ３を決定するようにしたが、必ずしも、濃度を算出する上式（３０）のＣ、Ｍ、Ｙの係数の比率に準じるようにしなくてもよく、たとえば、人間が見た感覚に合わせてｒ３、ｓ３、ｔ３を設定するようにしてもよく、その場合、たとえば、ｒ３＞ｓ３としてもよく、ｒ３＝６、ｓ３＝３、ｔ３＝−９と設定してもよい。
【０１３７】
青成分判定部４８は、青成分定義用面を用いて、入力されたＣＭＹデータが青成分を有するか否かを判定するものである。
【０１３８】
青成分データ取得部５０は、青成分判定部４８でＣＭＹデータが青成分を有すると判定された場合に、そのＣＭＹデータと青成分定義面との距離に基づいて青成分データを取得するものである。
【０１３９】
青成分データ濃度取得部５２は、青成分データ取得部５０において取得された青成分データの濃度を取得するものである。
【０１４０】
次に、第４の実施形態の２色分版装置の作用について説明する。
【０１４１】
まず、ＣＭＹデータ生成部１０は、スキャナやパソコンなどから出力されたカラー画像データを構成する各画素データのＲＧＢデータがＣＭＹデータ生成部１０に入力され、ＣＭＹデータ生成部１０において、上式（３）に基づいてＣＭＹデータに変換される。
【０１４２】
そして、ＣＭＹデータ生成部１０において変換されたＣＭＹデータは、赤成分判定部１２に入力され、赤成分判定部１２は、赤成分定義用面設定部１４に設定されている赤成分定義用面を用いて、ＣＭＹデータが赤成分を有するか否かを判定する。すなわち、赤成分判定部１２は、ＣＭＹデータが、図２に示す赤成分定義用面の左上半分に存在するか、赤成分定義用面の右下半分に存在するかを判定する。
【０１４３】
具体的には、ｒ１Ｃ＋ｓ１Ｍ＋ｔ１ＹにＣＭＹデータを入力し、ｒ１Ｃ＋ｓ１Ｍ＋ｔ１Ｙ＞０の場合には、ＣＭＹデータは、図５に示す赤成分定義用面の左上半分に存在するものとして判定し、赤成分を有するものとして判定する。一方、ｒ１Ｃ＋ｓ１Ｍ＋ｔ１Ｙ≦０の場合には、ＣＭＹデータは、図５に示す赤成分定義用面上または赤成分定義用面の右下半分に存在するものとして判定し、赤成分を有しないものとして判定する。
【０１４４】
そして、赤成分判定部１４において判定された判定結果が赤成分データ取得部１６に出力され、赤成分データ取得部１６は、入力された判定結果に基づいて赤成分データを取得する。具体的には、入力された判定結果が、赤成分を有しないという判定結果であった場合には、ＣＭＹデータの赤成分データＤＲ（Ｃ，Ｍ，Ｙ）を０とする。入力された判定結果が、赤成分を有するという判定結果であった場合には、ＣＭＹデータと赤成分定義用面との距離ｄ（Ｃ，Ｍ，Ｙ）を算出する。そして、下式（３２）に示すように正規化して赤成分データＤＲ（Ｃ，Ｍ，Ｙ）を算出する。
【０１４５】
ＲＤ（Ｃ，Ｍ，Ｙ）＝ｄ（Ｃ，Ｍ，Ｙ）／ｄ（０，１，１）    ・・・（３２）
なお、ｄ（０，１，１）は赤から赤成分定義用面までの距離であり、最大の距離である。
【０１４６】
また、ｄ（Ｃ，Ｍ，Ｙ）は、上式（６）にしたがって算出される。
【０１４７】
そして、上記のようにして赤成分データ取得部１６において取得されたＤＲ（Ｃ，Ｍ，Ｙ）は、赤成分データ濃度取得部１８に入力され、赤成分データ濃度取得部１８において、その濃度が算出される。具体的には、たとえば、ＤＲ（Ｃ，Ｍ，Ｙ）＝０．７である場合には、赤成分はＭ成分とＹ成分の加算なので、Ｃ＝０、Ｍ＝０．７、Ｙ＝０．７が下式（３３）に入力されて赤成分データの濃度Ｄｓｔｙ（ＤＲ（Ｃ，Ｍ，Ｙ））が算出される。
【０１４８】
濃度  ＝  ０．２９９×Ｃ ＋ ０．５８７×Ｍ ＋ ０．１１４×Ｙ    ・・・（３３）
ＤＲ（Ｃ，Ｍ，Ｙ）＝０のときは、赤成分データの濃度Ｄｓｔｙ（ＤＲ（Ｃ，Ｍ，Ｙ））も０である。
【０１４９】
一方、ＣＭＹデータ生成部１０において変換されたＣＭＹデータは、青成分判定部４８に入力され、青成分判定部４８は、青成分定義用面設定部４６に設定されている青成分定義用面を用いて、ＣＭＹデータが青成分を有するか否かを判定する。すなわち、青成分判定部４８は、ＣＭＹデータが、図７に示す青成分定義用面の左上半分に存在するか、青成分定義用面の右下半分に存在するかを判定する。
【０１５０】
具体的には、ｒ３Ｃ＋ｓ３Ｍ＋ｔ３ＹにＣＭＹデータを入力し、ｒ３Ｃ＋ｓ３Ｍ＋ｔ３Ｙ＞０の場合には、ＣＭＹデータは、図７に示す青成分定義用面の手前側半分に存在するものとして判定し、青成分を有するものとして判定する。一方、ｒ３Ｃ＋ｓ３Ｍ＋ｔ３Ｙ≦０の場合には、ＣＭＹデータは、図７に示す青成分定義用面上または青成分定義用面の奥側半分に存在するものとして判定し、青成分を有しないものとして判定する。
【０１５１】
そして、青成分判定部４８において判定された判定結果が青成分データ取得部５０に出力され、青成分データ取得部５０は、入力された判定結果に基づいて青成分データを取得する。具体的には、入力された判定結果が、青成分を有しないという判定結果であった場合には、ＣＭＹデータの青成分データＤＢ（Ｃ，Ｍ，Ｙ）を０とする。入力された判定結果が、青成分を有するという判定結果であった場合には、ＣＭＹデータと青成分定義用面との距離ｄ（Ｃ，Ｍ，Ｙ）を算出する。そして、下式（３４）に示すように正規化して青成分データＤＢ（Ｃ，Ｍ，Ｙ）を算出する。
【０１５２】
ＤＢ（Ｃ，Ｍ，Ｙ）＝ｄ（Ｃ，Ｍ，Ｙ）／ｄ（１，１，０）    ・・・（３４）
なお、ｄ（１，１，０）は青から青成分定義用面までの距離であり、最大の距離である。
【０１５３】
また、ｄ（Ｃ，Ｍ，Ｙ）は、上式（３１）にしたがって算出される。
【０１５４】
そして、上記のようにして青成分データ取得部５０において取得されたＤＢ（Ｃ，Ｍ，Ｙ）は、青成分データ濃度取得部５２に入力され、青成分データ濃度取得部５２において、その濃度が算出される。具体的には、たとえば、ＤＢ（Ｃ，Ｍ，Ｙ）＝０．７である場合には、青成分はＣ成分とＭ成分の加算なので、Ｃ＝０．７、Ｍ＝０．７、Ｙ＝０が下式（３５）に入力されて青成分データの濃度Ｄｓｔｙ（ＤＢ（Ｃ，Ｍ，Ｙ）が算出される。
【０１５５】
濃度  ＝  ０．２９９×Ｃ ＋ ０．５８７×Ｍ ＋ ０．１１４×Ｙ    ・・・（３５）
ＤＢ（Ｃ，Ｍ，Ｙ）＝０のときは、青成分データの濃度Ｄｓｔｙ（ＤＢ（Ｃ，Ｍ，Ｙ））も０である。
【０１５６】
一方、ＣＭＹデータ生成部１０で変換されたＣＭＹデータは、ＣＭＹデータ濃度取得部２０に入力され、ＣＭＹデータ濃度取得部２０において、ＣＭＹデータの濃度が算出される。具体的には、ＣＭＹデータが下式（３６）に入力されてＣＭＹデータの濃度Ｄｓｔｙ（Ｃ，Ｍ，Ｙ）が算出される。
【０１５７】
濃度  ＝  ０．２９９×Ｃ ＋ ０．５８７×Ｍ ＋ ０．１１４×Ｙ    ・・・（３６）
そして、赤成分データ濃度取得部１８において取得された赤成分データの濃度Ｄｓｔｙ（ＤＲ（Ｃ，Ｍ，Ｙ））と、青成分データ濃度取得部５２において取得された青成分データの濃度Ｄｓｔｙ（ＤＢ（Ｃ，Ｍ，Ｙ））と、ＣＭＹデータ濃度取得部２０において取得されたＣＭＹデータの濃度Ｄｓｔｙ（Ｃ，Ｍ，Ｙ）が差分データ取得部５４に入力され、差分データ取得部５４において、下式（３７）にしたがって差分データΔＤｓｔｙ（Ｃ，Ｍ，Ｙ）が取得される。
【０１５８】
ΔＤｓｔｙ（Ｃ，Ｍ，Ｙ）＝Ｄｓｔｙ（Ｃ，Ｍ，Ｙ）
−Ｄｓｔｙ（ＤＲ（Ｃ，Ｍ，Ｙ））
−Ｄｓｔｙ（ＤＢ（Ｃ，Ｍ，Ｙ））    ・・・（３７）
そして、差分データ取得部５４において取得された差分データΔＤｓｔｙ（Ｃ，Ｍ，Ｙ）は補足データ取得部５６に入力され、補足データ取得部５６において、下式（３８）にしたがって赤成分の補足データΔＤＲ（Ｃ，Ｍ，Ｙ）と青成分の補足データΔＤＢ（Ｃ，Ｍ，Ｙ）とが算出される。
【０１５９】
ΔＤｓｔｙ（Ｃ，Ｍ，Ｙ）＝Ｄｓｔｙ（ΔＤＲ（Ｃ，Ｍ，Ｙ））
＋Ｄｓｔｙ（ΔＤＢ（Ｃ，Ｍ，Ｙ））    ・・・（３８）
具体的には、ΔＤＲ（Ｃ，Ｍ，Ｙ）とΔＤＢ（Ｃ，Ｍ，Ｙ）は濃度を求める下式（３９）の係数に準じて以下のように算出される。
【０１６０】
濃度  ＝  ０．２９９×Ｃ ＋ ０．５８７×Ｍ ＋ ０．１１４×Ｙ    ・・・（３９）
ΔＤＲ（Ｃ，Ｍ，Ｙ）＝ΔＤｓｔｙ（Ｃ，Ｍ，Ｙ）×α／（０．５８７＋０．１１４）
ΔＤＢ（Ｃ，Ｍ，Ｙ）＝ΔＤｓｔｙ（Ｃ，Ｍ，Ｙ）
×（１−α）／（０．２９９＋０．５８７）
なお、αは予め設定される値であり、０≦α≦１である。そして、αを大きくすることによって赤色が強い印刷結果を得ることができ、αを小さくすることによって青色が強い印刷結果を得ることができる。上記のようにαを調整することによりユーザーの好みの印刷結果を得ることができる。
【０１６１】
そして、補足データ取得部５６において取得された赤成分の補足データΔＤＲ（Ｃ，Ｍ，Ｙ）と青成分の補足データΔＤＢ（Ｃ，Ｍ，Ｙ）とが分版データ取得部５８に入力されるとともに、赤成分データ取得部１６において取得された赤成分データＤＲ（Ｃ，Ｍ，Ｙ）と青成分データ取得部５０において取得された青成分データＤＢ（Ｃ，Ｍ，Ｙ）とが分版データ取得部５８に入力される。
【０１６２】
そして、分版データ取得部５８において、下式（４０）、（４１）にしたがって赤成分の分版データと青成分の分版データとが取得される。
【０１６３】
赤成分の分版データ：ＤＲ（Ｃ，Ｍ，Ｙ）＋ΔＤＲ（Ｃ，Ｍ，Ｙ）    ・・・（４０）
青成分の分版データ：ＤＢ（Ｃ，Ｍ，Ｙ）＋ΔＤＢ（Ｃ，Ｍ，Ｙ）    ・・・（４１）
上記第４の実施形態の２色分版装置によれば、ＣＭＹデータの濃度と赤成分データおよび青成分データの濃度との差分データを取得し、その差分データを赤成分データと青成分データとに分配するようにしたので、赤成分の分版データと青成分の分版データとにカラー原稿の濃度を分配することができ、カラー原稿の明度、濃度と２色印刷で印刷される印刷物の明度、濃度とが同程度になるような分版データを自動的に取得することができる。
【０１６４】
なお、上記第４の実施形態の２色分版装置においては、赤成分と青成分の両方の補足データを算出するようにしたが、好みに応じていずれか一方の色成分の補足データのみを算出し、いずれか一方の色成分データに加算するようにしてもよい。
【０１６５】
なお、上記第４の実施形態においては、赤成分定義用面と青成分定義用面とがグレースケールを含むようにしたが、必ずしもグレースケールを含むようにしなくてもよい。たとえば、図７に示す赤成分定義用面および／または青成分定義用面を平行移動するようにしてもよい。すなわち、赤成分定義用面、青成分定義用面を以下の式で設定するようにしてもよい。
【０１６６】
赤成分定義用面
ｒ１Ｃ＋ｓ１Ｍ＋ｔ１Ｙ＝ｎ１、ｎ１は定数
青成分定義用面
ｒ３Ｃ＋ｓ３Ｍ＋ｔ３Ｙ＝ｎ３、ｎ３は定数
また、上記ｎ１、ｎ３の値を予め複数設定しておき、ユーザーが好みに合わせてｎの値を選択できるようにしてもおいてもよい。
【０１６７】
また、上記第１から第４の実施形態の２色分版装置の説明における濃度の計算は、濃度と明度とは下式で表されるように一義的な関係であるため、明度の計算としてもよい。
【０１６８】
明度＝１−濃度
また、上記第１から第４の実施形態の２色分版装置は、カラー原稿における写真画像と文字画像の両方の分版データの取得のために適用してもよいし、写真画像の分版データの取得のみのために適用してもよい。
【図面の簡単な説明】
【０１６９】
【図１】本考案の２色分版装置の第１の実施形態の概略構成を示すブロック図
【図２】Ｃ成分、Ｍ成分、Ｙ成分を３つの軸とする色立方体と赤成分定義用面を示す図
【図３】本考案の２色分版装置の第２の実施形態の概略構成を示すブロック図
【図４】本考案の２色分版装置の第３の実施形態の概略構成を示すブロック図
【図５】Ｃ成分、Ｍ成分、Ｙ成分を３つの軸とする色立方体と赤成分定義用面と緑成分定義用面を示す図
【図６】本考案の２色分版装置の第４の実施形態の概略構成を示すブロック図
【図７】Ｃ成分、Ｍ成分、Ｙ成分を３つの軸とする色立方体と赤成分定義用面と青成分定義用面を示す図
【符号の説明】
【０１７０】
１０    ＣＭＹデータ生成部
１２  赤成分定義用面設定部
１４  赤成分判定部
１６  赤成分データ取得部
１８  赤成分データ濃度取得部
２０  ＣＭＹデータ濃度取得部
２２，４０，５４  差分データ取得部
２４，２８  黒成分データ取得部
２６，３０，４４，５８  分版データ取得部
３２  緑成分定義用面設定部
３４  緑成分判定部
３６  緑成分データ取得部
３８  緑成分データ濃度取得部
４２，５６  補足データ取得部
４６  青成分定義用面設定部
４８  青成分判定部
５０  青成分データ取得部
５２  青成分データ濃度取得部
【図１】
0003122150.tif 000003
【図２】
0003122150.tif 000004
【図３】
0003122150.tif 000005
【図４】
0003122150.tif 000006
【図５】
0003122150.tif 000007
【図６】
0003122150.tif 000008
【図７】
0003122150.tif 000009